(57)【要約】      （修正有）【課題】手提げ、肩掛け、あるいは背負いのいずれの態様にも容易に変形させることができると共に、いずれの態様でも使用者が快適に使用できるバッグを提供する。【解決手段】手提げ、肩掛け、あるいは背負いの態様に自在に変形できるバッグ１であって、一端に、収容物を収容するための開口部２０が形成された袋状の本体と、本体の裏面において、上方及び下方の左右それぞれに、一端部が取り付けられた四本の紐３１、３２、４１、４２と、を有し、紐３１、３２、４１、４２は、いずれの紐３１、３２、４１、４２とも結紐可能な長さからなり、四本の紐３１、３２、４１、４２を二本一組で結び合わせることで結び合わされた紐が提げ紐又は肩掛け紐を構成する。【選択図】図１
0003175195.tif 000002
【実用新案登録請求の範囲】
【請求項１】
手提げ、肩掛け、あるいは背負いの態様に自在に変形できるバッグであって、
一端に、収容物を収容するための開口部が形成された袋状の本体と、
上記本体の裏面において、上方及び下方の左右それぞれに、一端部が取り付けられた四本の紐と、を有し、
上記紐は、いずれの紐とも結紐可能な長さからなり、上記四本の紐を二本一組で結び合わせることで、結び合わされた紐が提げ紐又は肩掛け紐を構成する、
ことを特徴とする多形態バッグ。
【請求項２】
下方に取り付けられた二本の紐が、上方に取り付けられた二本の紐に比して、互いに対して離間して取り付けられている、
請求項１記載の多形態バッグ。
【請求項３】
上記紐は、布体によって、一端部が上記本体の裏面との間に挟み込まれ、当該布体ごと上記本体の裏面に縫い付けられている、
請求項１又は２記載の多形態バッグ。
【請求項４】
上記紐は、上記本体の裏面に直接縫い付けられている、
請求項１又は２記載の多形態バッグ。
【請求項５】
上記本体は、一枚の帯状の布体を折り畳むと共に、両側端を縫い合わせた形状からなる、
請求項１乃至４いずれかの項に記載の多形態バッグ。
【請求項６】
上記本体の底部には、底部を補強する帯状の布体が取り付けられている、
請求項１乃至５いずれかの項に記載の多形態バッグ。
【考案の詳細な説明】
【技術分野】
【０００１】
本考案は、使用者の用途に応じて形態を変えられるバッグに関する。
【背景技術】
【０００２】
従来、鞄には、手提げ鞄や肩掛け鞄、あるいはリュックサックといった態様のものがあり、それぞれ、手に持ったり、肩にかけたり、背負ったりと、持ち方が異なる。
この持ち方は通常、鞄ごとに決まっており、肩掛け鞄を背負ったり、リュックサックを手提げにしたりすることは想定されておらず、そのような持ち方ができるようには作られていない。
【０００３】
しかしながら、使用者のときどきの都合によって、持ち方を変えたい時もある。例えば、電車の中で立っているときに鞄を背負っていると周りの迷惑になるため、手提げのほうがよいが、両手に荷物を持つ必要ができたときは背負いにしたほうがよくなる。
また、このような使用者の都合によらずとも、使用者のそのときの気分や、服装や場所柄に合った持ち方がそのときどきで異なることもある。
【０００４】
この点、特許文献１では、鞄の上下幅の二倍以上の長さの第一の紐の両端を鞄本体の前面の両側側縁部寄りに固定し、鞄本体の裏面の上方に中央で紐を挿通可能とした二個の位置ずれ防止変を取り付け、鞄本体の裏面の下部の両側縁寄りに、第一の紐よりも長い第二の紐のための二個の紐通し具を設け、前記第二の紐は、その両端をバックルおよび前記紐通し具に通してなり、前記バックルにより、第二の紐を第一の紐と長さを同じにして手提げ用とし、第二の紐を第一の紐よりも長くして第二の紐を肩掛け用とし、または、第二の紐を第一の紐よりも長くして、前記位置ずれ防止変と紐通し具間の第二の紐と鞄本体の裏面間に腕を通して背負いようとする多用途鞄が提案されている。
【先行技術文献】
【特許文献】
【０００５】
【特許文献１】実登第３０２４７３４号公報
【考案の概要】
【考案が解決しようとする課題】
【０００６】
しかしながら、上記特許文献１記載の鞄は、手提げ、肩掛け、あるいは背負いの態様に変形させるためには、いちいちバックルで第二の紐の長さを調節しなければならず面倒である。また、鞄を背負ったり肩に掛けたりする場合、紐通し具やバックル、または位置ずれ防止片が背中や脇腹に当たるため不快である。
【０００７】
そこで本考案は、手提げ、肩掛け、あるいは背負いのいずれの態様にも容易に変形させることができると共に、いずれの態様でも使用者が快適に使用できるバッグを提供することを目的とする。
【課題を解決するための手段】
【０００８】
上記目的を達成するため、本考案に係る多形態バッグは、手提げ、肩掛け、あるいは背負いの態様に自在に変形できるバッグであって、一端に、収容物を収容するための開口部が形成された袋状の本体と、上記本体の裏面において、上方及び下方の左右それぞれに、一端部が取り付けられた四本の紐と、を有し、上記紐は、いずれの紐とも結紐可能な長さからなり、上記四本の紐を二本一組で結び合わせることで、結び合わされた紐が提げ紐又は肩掛け紐を構成することを特徴とする。
【０００９】
また、下方に取り付けられた二本の紐が、上方に取り付けられた二本の紐に比して、互いに対して離間して取り付けられているものとしてもよい。
【００１０】
また、上記紐は、布体によって、一端部が上記本体の裏面との間に挟み込まれ、当該布体ごと上記本体の裏面に縫い付けられているものとしてもよい。
【００１１】
また、上記紐は、上記本体の裏面に直接縫い付けられているものとしてもよい。
【００１２】
また、上記本体は、一枚の帯状の布体を折り畳むと共に、両側端を縫い合わせた形状からなるものとしてもよい。
【００１３】
また、上記本体の底部には、底部を補強する帯状の補強布体が取り付けられているものとしてもよい。
【考案の効果】
【００１４】
本考案によれば、使用者の都合に応じて、バッグを手提げ、肩掛け、あるいは背負いのいずれの態様にも容易に変形させることができる。また、紐を留める金具等を用いないことから、いずれの態様でも、使用者が快適に使用できる。
【図面の簡単な説明】
【００１５】
【図１】本考案の実施形態に係る多形態バッグの裏面側を示す平面図である。
【図２】本実施形態に係る多形態バッグの表面側を示す平面図である。
【図３】本実施形態に係る多形態バッグの一使用例を示す平面図である。
【図４】本実施形態に係る多形態バッグの他の使用例を示す平面図である。
【考案を実施するための形態】
【００１６】
以下、本考案の実施形態に係る多形態バッグについて、図を参照して説明する。
図１及び図２に示されるように、本実施形態に係る多形態バッグ１は、一端に開口部２０が形成された袋状の本体２と、本体２の裏面側に取り付けられた４本の紐３１、３２、４１、４２によって構成される。
【００１７】
本体２は、一枚の帯状の布体を中央で折り畳んだ形状からなる。折り畳んだ状態から両側端を縫い合わせてステッチ２１を形成することで、折り畳まれた部分が底部を形成し、全体として袋状に構成される。
ステッチ２１が形成されていない上部は開口部２０を形成し、この開口部２０から内部に収容物を差し入れて収容することができる。
【００１８】
本体２の裏面には、上方に左右一対の紐３１、３２が取り付けられ、さらに下方に左右一対の紐４１、４２が取り付けられている。
紐３１、３２は、帯状の布体３０によって本体２の裏面との間に挟み込まれ、布体３０ごと本体に縫い付けられている。
また、紐４１、４２は、本体２の表面から裏面にかけてあてがわれた帯状の布体４０によって本体２の裏面との間に挟み込まれ、布体４０ごと本体２に縫い付けられている。
【００１９】
帯状の布体４０は、本体２の底部において表面から裏面にかけてあてがわれ、さらに本体２に縫い付けられている。この布体４０により、バッグ１の底部が擦り切れ等しにくいように補強されている。
【００２０】
なお、上記した本体２、布体３０、４０、及び紐３１、３２、４１、４２は、皮革、ナイロン素材、布や化学繊維など、各種の生地で構成することができ、特にその素材は限定されない。
【００２１】
このような多形態バッグ１において、紐３１、３２、４１、４２は、いずれの紐３１、３２、４１、４２とも結紐可能な長さを有しており、例えば、紐３１、３２同士や紐４１、４２同士を結び合わせたり、紐３１、４１同士や紐３２、４２同士を結び合わせたり、紐３１、４２同士や紐３２、４１同士を結び合わせたりすることができる。
【００２２】
そして、紐３１、３２同士を結び合わせたときには、図３に示されるように、紐３１、３２が提げ紐あるいは肩掛け紐として構成され、手提げバッグ、あるいは肩掛けバッグ様に用いることができる。
また、紐３１、４１同士と紐３２、４２同士を結び合わせた時には、図４に示されるように、紐３１、４１及び紐３２、４２が背負い紐として構成され、リュックサック（背負い）様に用いることができる。
【００２３】
なお、紐３１、３２、あるいは紐４１、４２は、それぞれ左右に離間して本体２に取り付けられているが、紐４１、４２は、その間の長さが、紐３１、３２の間の長さに比して長くなるようにして本体２に取り付けられている。これにより、多形態バッグ１をリュックサック様にして使用者が背負う際、上方の紐３１、３２に対して下方の紐４１、４２の取り付け位置が左右に離間していることで、背負いやすいようになっている。
【００２４】
以上の本実施形態に係る多形態バッグ１によれば、紐３１、３２、４１、４２を使用者の任意で結び合わせることにより、手提げバッグ、肩掛けバッグ、あるいはリュックサック様に容易に態様を変えて用いることができる。また、本体２に余計な金具が取り付けられていないため、肩掛けバッグやリュックサック様に用いても、金具が使用者の体に当たったりせず使用感が良い。
【００２５】
なお、本実施形態では、紐３１、３２、４１、４２は、布体３０、４０によって本体２の裏面との間に挟み込まれ、布体３０、４０ごと本体に縫い付けられるものとしたが、これに限らず、本体２の裏面に直接縫い付けられていてもよい。
【００２６】
また、本実施形態では、本体２は、一枚の帯状の布体を折り畳み、両側端を縫い合わせて袋状に構成しているが、側端部に別の布体を縫い合わせてマチを設けることもできる。
【００２７】
また、本実施形態では、多形態バッグ１の好適な使用例として、紐３１、３２同士を結び合わせて、手提げバッグ、あるいは肩掛けバッグ様としたり、紐３１、４１同士と紐３２、４２同士を結び合わせてリュックサック（背負い）様としたりする例を示したが、これに限らず、使用者の任意により、紐３１、４２同士を結び合わせるなど、他の組み合わせによる結び方をして用いることもできる。
【符号の説明】
【００２８】
１      多形態バッグ
２      本体
２０    開口部
２１    ステッチ
３０    布体
３１    紐
３２    紐
４０    布体
４１    紐
４２    紐
【図１】
0003175195.tif 000003
【図２】
0003175195.tif 000004
【図３】
0003175195.tif 000005
【図４】
0003175195.tif 000006